(57)【要約】【課題】  電子的コンテンツの購買を管理し、この電子的コンテンツの流通を促進するコンテンツ流通管理システムを提供する。【解決手段】  電子的コンテンツＣＯを管理するコンテンツ管理装置２０と、電子的コンテンツＣＯの取引きを行うサーバ装置１１とから構成されるコンテンツ流通管理システム１において、サーバ装置１１を、電子的コンテンツＣＯの売買を行うイタＢＤを生成するイタ生成手段Ｓ２０１と、このイタＢＤに、コンテンツ管理装置２０が管理している電子的コンテンツＣＯの位置を示すリンク情報ＬＫを有するチャネルＣＨを生成するチャネル生成手段Ｓ２０２と、イタＢＤにおいてチャネルＣＨを売買するチャネル売買手段Ｓ２０３とから構成する。【選択図】  図２
2006139434.tif 000002
【特許請求の範囲】
【請求項１】
コンテンツを管理するコンテンツ管理装置と、前記コンテンツの取引きを行うサーバ装置とからなるコンテンツ流通管理システムであって、
前記サーバ装置が、
前記コンテンツの売買を行う取引き場を生成する取引き場生成手段と、
前記取引き場に、前記コンテンツ管理装置が管理している前記コンテンツの位置を示すリンク情報を有するチャネルを生成するチャネル生成手段と、
前記取引き場において前記チャネルを売買するチャネル売買手段とを有して構成されることを特徴とするコンテンツ流通管理システム。
【請求項２】
前記サーバ装置が、前記チャネルの価値を劣化させるチャネル価値劣化手段を有し、
購入された前記チャネルの前記リンク情報から前記コンテンツを利用するときに、前記チャネルの前記価値が前記チャネル価値劣化手段により劣化されるように構成されたことを特徴とする請求項１に記載のコンテンツ流通管理システム。
【請求項３】
前記チャネルが、一つ以上の前記コンテンツの各々に対応した一つ以上の前記リンク情報を有して構成され、
前記チャネル価値劣化手段が、一つ以上の前記リンク情報のうち、利用可能な前記リンク情報の個数を減少させるように構成されたことを特徴とする請求項２に記載のコンテンツ流通管理システム。
【請求項４】
前記チャネル価値劣化手段が、時間に応じて利用可能な前記リンク情報の個数を減少させるように構成されたことを特徴とする請求項３に記載のコンテンツ流通管理システム。
【請求項５】
コンテンツを管理するとともに、前記コンテンツの取引きを行うサーバ装置を有するコンテンツ流通管理システムであって、
前記サーバ装置が、
前記コンテンツの売買を行う取引き場を生成する取引き場生成手段と、
前記取引き場に、前記コンテンツを有するチャネルを生成するチャネル生成手段と、
前記取引き場において前記チャネルを売買するチャネル売買手段と、
前記チャネルの価値を劣化させるチャネル価値劣化手段とを有して構成され、
購入された前記チャネルの前記コンテンツを利用するときに、前記チャネルの前記価値が前記チャネル価値劣化手段により劣化されるように構成されたことを特徴とするコンテンツ流通管理システム。
【請求項６】
前記チャネルが、一つ以上の前記コンテンツを有して構成され、
前記チャネル価値劣化手段が、一つ以上の前記コンテンツのうち、利用可能な前記コンテンツの個数を減少させるように構成されたことを特徴とする請求項５に記載のコンテンツ流通管理システム。
【請求項７】
前記チャネル価値劣化手段が、時間に応じて利用可能な前記コンテンツの個数を減少させるように構成されたことを特徴とする請求項６に記載のコンテンツ流通管理システム。
【請求項８】
前記サーバ装置が、
前記コンテンツを提供する提供者と前記コンテンツを購入する購入者の各々が有するポイント値を記憶し、前記チャネルが購入されたときに、記憶されている前記提供者の前記ポイント値に前記チャネルの販売ポイントを加算し、前記購入者の前記ポイント値から前記チャネルの前記販売ポイントを減算するように構成されたポイント管理手段と、
記憶されている前記ポイント値に対する金利を設定する金利設定手段と、
所定の時間間隔毎に、前記金利設定手段により設定された前記金利に応じて、記憶されている前記ポイント値を増減させる金利発生手段とを有して構成されたことを特徴とする請求項１〜７のいずれかに記載のコンテンツ流通管理システム。
【発明の詳細な説明】
【技術分野】
【０００１】
本発明は、コンテンツの売買を管理し、このコンテンツの流通を促進するコンテンツ流通管理システムに関する。
【背景技術】
【０００２】
電子計算機システム上の情報サービスにおいて、利用者と利用者の間における情報授受、例えば、企業が提供する商品・サービスに関する販売促進情報の流通促進、あるいは、企業が権利を所有する画像・音楽データの流通が行われているが、これらの電子的コンテンツの流通促進が課題としてある。
【０００３】
このような背景から、企業等の組織は、インターネットを利用してホームページを作成するＡＳＰ（アプリケーション・サービス・プロバイダ）サービス等を活用してインターネットホームページを作成し、利用者（企業）と利用者（顧客）の間で商品・サービスの販売促進情報提供や商取引に必要な注文・商品送付といった商品販売情報の授受を行っている。また、顧客と顧客の間にて商品売買情報あるいは商品クチコミ情報を授受させる手法等が見られる。
【０００４】
そして、これらの手法を更に進め、情報システム提供者が提供する電子計算機システム上の電子口座に、各利用者が上述のホームページを利用して商取引等を行った際にその利用状態に応じて電子的なポイントを記録し、様々な利用者間の情報授受をこの電子的なポイントで決済する手法も見られる。例えば、利用者を電子計算機システムに事前登録し、当該システム上で電子的コンテンツ販売者が販売行為を行うと電子的なポイントが追加されるといった電子的取引管理が実現されている（例えば、特許文献１参照）。
【０００５】
【特許文献１】特開２００２−２７９１０３号公報
【発明の開示】
【発明が解決しようとする課題】
【０００６】
しかしながら、電子的コンテンツの授受促進にあたってはいくつかの課題がある。一つとして、電子的コンテンツの流通量が増えるに従い、各コンテンツへの課金を一つずつ実施していくとすると、課金の手続が比例して増加し、コンテンツ流通の妨げの一因となりうるという課題がある。
【０００７】
また、電子的コンテンツは、食品等の実体のある商品と異なり、価値の劣化が発生しないため、利用者（コンテンツ販売者）が時間経過とともに早く売ろうとする促進力が停滞し取引量が減少するといった事態となり得る。そのため、情報システム提供者側が如何に売りを促進させるかという課題がある。
【０００８】
さらに、電子的コンテンツは、コンテンツ販売者が流通量を支配するため、価格高騰あるいは流通量過多といった状況に陥ると、利用者の早く買おうという意欲を促進する力が停滞し、取引量が減少するといった事態となり得る。そのため、システム提供者側が如何に利用者に買いを促進させるかという課題がある。
【０００９】
本発明は、以上のような課題に鑑みてなされたものであり、電子的コンテンツの購買を管理し、この電子的コンテンツの流通を促進するコンテンツ流通管理システムを提供することを目的とする。
【課題を解決するための手段】
【００１０】
前記課題を解決するために、第１の本発明に係るコンテンツ流通管理システムは、コンテンツ（例えば、実施形態における電子的コンテンツＣＯ）を管理するコンテンツ管理装置と、コンテンツの取引きを行うサーバ装置とからなり、このサーバ装置が、コンテンツの売買を行う取引き場（例えば、実施形態におけるイタＢＤ）を生成する取引き場生成手段（例えば、実施形態におけるイタ生成手段Ｓ２０１）と、この取引き場に、コンテンツ管理装置が管理しているコンテンツの位置を示すリンク情報を有するチャネルを生成するチャネル生成手段と、取引き場においてチャネルを売買するチャネル売買手段とを有して構成される。
【００１１】
この第１の本発明に係るコンテンツ流通管理システムは、サーバ装置が、チャネルの価値を劣化させるチャネル価値劣化手段を有し、購入されたチャネルのリンク情報からコンテンツを利用するときに、チャネルの価値がチャネル価値劣化手段により劣化されるように構成されることが好ましい。
【００１２】
このとき、チャネルが、一つ以上のコンテンツの各々に対応した一つ以上のリンク情報を有して構成され、チャネル価値劣化手段が、一つ以上のリンク情報のうち、利用可能なリンク情報の個数を減少させるように構成されることが好ましい。さらに、チャネル価値劣化手段が、例えば、売出し時刻からの時間経過のように時間に応じて利用可能なリンク情報の個数を減少させるように構成されることが好ましい。
【００１３】
また、第２の本発明に係るコンテンツ流通管理システムは、コンテンツを管理するとともに、このコンテンツの取引きを行うサーバ装置とからなり、このサーバ装置が、コンテンツの売買を行う取引き場を生成する取引き場生成手段と、この取引き場にコンテンツを有するチャネルを生成するチャネル生成手段と、取引き場においてチャネルを売買するチャネル売買手段と、チャネルの価値を劣化させるチャネル価値劣化手段とを有して構成され、購入されたチャネルのコンテンツを利用するときに、このチャネルの価値がチャネル価値劣化手段により劣化されるように構成される。
【００１４】
このとき、チャネルが、一つ以上のコンテンツを有して構成され、チャネル価値劣化手段が、一つ以上のコンテンツのうち、利用可能なコンテンツの個数を減少させるように構成されることが好ましい。さらに、チャネル価値劣化手段が、例えば、売出し時刻からの時間経過のように時間に応じて利用可能なコンテンツの個数を減少させるように構成されることが好ましい。
【００１５】
なお、第１および第２の本発明に係るコンテンツ流通管理システムにおいて、サーバ装置が、コンテンツを提供する提供者（例えば、実施形態におけるコンテンツプロバイダＰ）とコンテンツを購入する購入者（例えば、実施形態におけるチャネル一次取得者Ｂ）の各々が有するポイント値を記憶し、チャネルが購入されたときに、記憶されている提供者のポイント値にチャネルの販売ポイントを加算し、購入者のポイント値から販売ポイントを減算するように構成されたポイント管理手段（例えば、実施形態における所有価格ポイント項目１３５ｃ）と、記憶されているポイント値に対する金利を設定する金利設定手段と、所定の時間間隔毎に、金利設定手段により設定された金利に応じて、記憶されているポイント値を増減させる金利発生手段とを有して構成されることが好ましい。
【発明の効果】
【００１６】
本発明に係るコンテンツ流通管理システムを以上のように構成すると、コンテンツの一つ一つを販売して課金するのではなく、そのコンテンツを流通するための流通経路であるチャネル単位で販売して課金することにより、課金の手続を簡単にし、コンテンツの流通を促進することができる。
【００１７】
また、チャネル価値劣化手段により、販売されているチャネルの価値が劣化するように構成することにより、コンテンツの提供者が自己が提供するコンテンツを早く売ろうとする動機付けができ、このコンテンツの販売量が促進される。
【００１８】
さらに、金利発生手段により、このコンテンツ流通管理システムで管理されているポイント値を設定された金利により増減するように構成することにより、売買されるコンテンツの数を金利により調整することができる。また、利用者に対して、コンテンツ購入の促進と抑制をすることができる。
【発明を実施するための最良の形態】
【００１９】
以下、本発明の好ましい実施形態について図面を参照して説明する。まず、図１を用いて本実施例に係るコンテンツ流通管理システム１のシステム構成について説明する。このコンテンツ流通管理システム１は、ネットワークＮに接続されて互いに情報の送受信が可能なサーバ装置１１、複数の端末装置２（２ａ〜２ｃ，２ｐ）、及び、コンテンツ管理装置２０から構成される。
【００２０】
サーバ装置１１は、ＣＰＵ（中央処理装置）やメインメモリ等よりなる演算処理部１２，ハードディスクやテープドライブ等よりなる記憶部１３、キーボードやマウス、若しくはタッチパネル、ボタン等の入力装置やディスプレイ、スピーカー等の出力装置からなる入出力部１４、ネットワークＮに接続して他のコンピュータ（端末装置２）との通信を制御するモデム装置、ネットワークカード装置等よりなる通信制御部１５を備えたコンピュータ（ウェブサーバ）である。
【００２１】
このサーバ装置１１において、記憶部１３には、オペレーティングシステム（ＯＳ）やアプリケーションソフト（ウェブサーバソフトウェア、アクセス者登録手段Ｓ１００、入出力手段Ｓ２００等のためのプログラム）がインストールされている。また、記憶部１３内には、データを格納する領域１３１〜１３５が構築されている。
【００２２】
演算処理部１２は、周辺装置からの情報やアプリケーションソフトに基づく処理によりアクセス者登録手段Ｓ１００および入出力手段Ｓ２００等を実現している。また、この演算処理部１２は、入出力部１４や通信制御部１５を経由しアクセス者からの入力情報を受け付ける。さらに、この演算処理部１２は、演算処理部１２内で実行される各手段（例えば、アクセス者登録手段Ｓ１００、入出力手段Ｓ２００）からの出力情報を、入出力部１４や通信制御部１５を経由して出力する。
【００２３】
一方、各端末装置２も、サーバ装置１１と同様にＣＰＵやメインメモリからなる演算処理部、ハードディスクやテープドライブ等からなる記憶部、ネットワークＮを介して他のコンピュータ（サーバ装置１１）との通信を制御するモデム装置、ネットワークカード装置等からなる通信制御部、キーボード、マウス、タッチパネル、ボタン等の入力装置やディスプレイ、スピーカー等の出力装置からなる入出力部を適宜備えたパーソナルコンピュータやネットワーク接続機能付き携帯電話等のネットワーク接続機能付き電気機器である。なお、この端末装置２にも、オペレーティングシステムやアプリケーションソフト（ウエブ閲覧ソフト等）がインストールされている。
【００２４】
また、コンテンツ管理装置２０も、演算処理部、記憶部、通信制御部、入出力部等を有しており、その記憶部に電子的コンテンツＣＯが管理されている。
【００２５】
なお、本実施例に係るコンテンツ流通管理システム１において、利用者間で電子的コンテンツ（チャネルＣＨ）の取引きを実現する入出力手段Ｓ２００は、演算処理部１２で実行されるウェブサーバＷを用いて実現されており、各端末装置２で動作するウェブ閲覧ソフトとの間で例えばＨＴＭＬ（ハイパーテキスト・マークアップ言語）により記述されたデータを授受することにより実現されるものとして説明する。また、アクセス者登録手段Ｓ１００は、演算処理部１２で実行されるプログラムとして実現されるものとして説明する。
【００２６】
本実施例に係るコンテンツ流通管理システム１は、図２に示すように、以上のように構成されたサーバ装置１１に、電子的コンテンツＣＯが流通する流通経路の属性情報を記録し、この流通経路をシステム上の取引場にて利用者が売買する取引き機構を提供するものである。なお、以降の説明においては、この流通経路を「チャネルＣＨ」と呼び、取引きを行う取引場を「イタＢＤ」と呼ぶ。利用者Ｐ，Ｂは、利用者Ａにより生成されたイタＢＤ上でチャネルＣＨの売買を行い、このチャネルＣＨを購入した者Ｂは、チャネルＣＨのリンク情報ＬＫを介して電子的コンテンツＣＯにアクセスしたり、電子的コンテンツＣＯのプッシュ配信を受けたりする。また、電子的コンテンツＣＯとしては、エンターテイメント画像、演奏音楽データ、ソフトウェアといった電子的な著作物、あるいは、電子的な割引クーポンといった有価物などを表現する、システム上に記録することができるデータとする。以下、具体的な処理について説明を行う。
【００２７】
（アクセス者登録）
まず、運用者Ｍが、入出力部１４に接続されたキーボード、マウス等を用いて、アクセス者登録手段Ｓ１００を起動し、このコンテンツ流通管理システム１において、電子的コンテンツＣＯの取引を行うアクセス者の属性情報を記憶部１３のアクセス者属性情報格納領域１３５に登録する。このアクセス者属性情報格納領域１３５は、図３に示すようなデータ構造をしており、アクセス者名項目１３５ａ、認証符号項目１３５ｂ、所有価格ポイント項目１３５ｃ、および、発行者権限項目１３５ｄを有している。
【００２８】
ここで、アクセス者名項目１３５ａおよび認証符号項目１３５ｂに記憶されるアクセス者名および認証符号は、登録されたアクセス者が、コンテンツ流通管理システム１（サーバ装置１１）にアクセスするときに入力されるログイン用のＩＤおよびパスワードとして用いられる。また、所有価格ポイント項目１３５ｃに登録される価格ポイント値は、現金や地域通貨等の有価物と交換するか、若しくは、無償にてアクセス者に付与されるものであり、後述するように電子的コンテンツＣＯの取り引きに利用される。なお、価格ポイント値は、正の値だけでなく、ゼロや負の値を許す構成とすることもできる。さらに、発行権限項目１３５ｄは、後述するイタＢＤおよびチャネルＣＨをサーバ装置１１上に生成することができる権限である発行権限が記憶される。
【００２９】
アクセス者は、各端末装置２にインストールされたアプリケーションソフトウェア（ウェブ閲覧ソフト等）を、この端末装置２に接続されたキーボードやマウス等を用いて操作することにより、ネットワークＮを経由してこのサーバ装置１１に、アクセス者名および認証符号を用いてログインすることができる。
【００３０】
なお、運用者Ｍは、アクセス者へ、登録したアクセス者名、認証符号、および、このサーバ装置１１の入出力手段Ｓ２００の存在場所を指し示す属性情報（例えば、ウェブサーバを用いて実現されている場合は、ＵＲＬ（ユニフォーム・リソース・ロケータ）を、書面や電子メール等にて通知する。なお、本実施例においては、アクセス者としては、電子的コンテンツＣＯを所有し、イタＢＤおよびチャネルＣＨの登録を依頼してこの電子的コンテンツＣＯを提供するコンテンツプロバイダＰ、コンテンツプロバイダＰからの委託を受けて電子的コンテンツＣＯを売買するためのイタＢＤおよびチャネルＣＨをサーバ装置１１に登録するジェネレータＡ、電子的コンテンツＣＯ（チャネルＣＨ）を購入するチャネル一次取得者Ｂおよびチャネル二次取得者Ｃの属性情報が運用者Ｍによりそれぞれアクセス者属性情報格納領域１３５に登録される。
【００３１】
また、運用者Ｍは、アクセス者（コンテンツプロバイダＰ）の依頼を元にジェネレータＡがイタＢＤを登録した際に依頼者が所有する所有価格ポイント項目１３５ｃから減算される価格ポイント値（以降、「イタ発行手数料価格ポイント」と呼ぶ）と、アクセス者の依頼を元にジェネレータＡがチャネルＣＨを登録した際に依頼者が所有する所有価格ポイント項目１３５ｃから減算される価格ポイント値（以降、「チャネル発行手数料価格ポイント」と呼ぶ）と、ジェネレータＡの連絡先（電子メールアドレスや住所等）も同時に通知する。
【００３２】
また、この実施例においては、運用者Ｍは、サーバ装置１１の入出力部１４から直接アクセス者登録手段Ｓ１００を用いてアクセス者の属性情報を登録する場合について説明したが、ネットワークＮに接続された端末装置（図示せず）から登録するように構成することも可能である。この場合、アクセス者登録手段Ｓ１００は、入出力手段Ｓ２００と同様に、ウェブサーバＷで実現されても良い。
【実施例１】
【００３３】
それでは、第１実施例として、以上のように運用者Ｍにより属性情報が記憶部１３に登録された利用者（アクセス者）が、入出力手段Ｓ２００によりチャネルＣＨの取引き行う場合について説明する。
【００３４】
（ログイン）
まず、ジェネレータＡがログインする場合について説明する。ジェネレータＡが、端末装置２ａのキーボード等を操作して、ウェブ閲覧ソフトを介してサーバ装置１１の入出力手段Ｓ２００へアクセスする。すると、入出力手段Ｓ２００は、図４に示すようなログイン画面Ｇ１を端末装置２ａへ送信する。このログイン画面Ｇ１は、アクセス者名を入力するアクセス者名入力フィールドＧ１ａ、識別符号を入力する識別符号入力フィールドＧ１ｂ、および、これらの入力情報を入出力手段Ｓ２００に送信するログインボタンＧ１ｃから構成されている。ジェネレータＡは、このログイン画面Ｇ１において、アクセス者名および認証符号を入力し、ログインボタンＧ１ｃを押下し、これらの情報を入出力手段Ｓ２００へ送信する。
【００３５】
入出力手段Ｓ２００は、端末装置２ａからアクセス者名および認証符号を受け取ると、アクセス者属性情報格納領域１３５を検索し、登録されたアクセス者の属性情報とのマッチングを行い、一致した場合は、図５に示すホーム画面Ｇ２の表示データを生成して端末装置２ａに送信する。
【００３６】
このホーム画面Ｇ２は、ジェネレータＡ等の発行権限を有するアクセス者がイタＢＤを作成する際に押下するイタ情報入力ボタンＧ２ａ、このアクセス者が保有する価格ポイント値を表示する保有ポイント表示フィールドＧ２ｂ、サーバ装置１１に登録されているイタＢＤの一覧表示を行うイタ名称一覧フィールドＧ２ｃ、このイタ名称一覧フィールドＧ２ｃに表示されている各イタＢＤ毎にイタ発行者がチャネルＣＨの売り出しを行う際に押下するチャネル売りボタンＧ２ｄ、各イタＢＤ毎にチャネルＣＨの買い注文をする際に押下するチャネル買いボタンＧ２ｅ、アクセス者が保有するチャネルＣＨを表示する保有チャネル一覧フィールドＧ２ｆ、この保有チャネル一覧フィールドＧ２ｆに表示されている各チャネルＣＨ毎にこのチャネルＣＨを閲覧する際に押下するチャネル閲覧ボタンＧ２ｇ、および、各チャネルＣＨ毎にチャネルＣＨの売り注文をする際に押下するチャネル転売ボタンＧ２ｈを有して構成される。
【００３７】
このホーム画面Ｇ２を受信した端末装置２ａは、画面に表示する。なお、以上のログイン処理は、ジェネレータＡだけでなく、いずれのアクセス者（チャネル一次取得者Ｂ等）も同様である。
【００３８】
（イタ生成）
コンテンツプロバイダＰは、自己の所有する電子的コンテンツＣＯを売買するための取引き場であるイタＢＤの発行をジェネレータＡに依頼し、ジェネレータＡは、上述のホーム画面Ｇ２よりイタＢＤをサーバ装置１１に生成するための生成処理を行う。このとき、コンテンツプロバイダＰは、端末装置２ｐから、イタ名称及びイタ内容説明からなるイタ属性情報を、コンテンツプロバイダＰ自身のアクセス者名とともに、イタ発行依頼時に電子メールでジェネレータＡに提供する。もちろん、書面等を用いてジェネレータＡに提供することも可能である。
【００３９】
イタ発行の依頼を受けたジェネレータＡは、端末装置２ａに表示されているホーム画面Ｇ２のイタ情報入力ボタンＧ２ａを押下する。すると、入出力手段Ｓ２００は、図６に示すようなイタ情報入力画面Ｇ３を生成して端末装置２ａに送信し、端末装置２ａの画面上にこのイタ情報入力画面Ｇ３をポップアップ表示させる。
【００４０】
このイタ情報入力画面Ｇ３は、生成しようとするイタＢＤのイタ名称を入力するイタ名称入力フィールドＧ３ａ、イタＢＤの内容説明を入力するイタ内容説明入力フィールドＧ３ｂ、イタ発行依頼者（この場合、コンテンツプロバイダＰ）のアクセス者名を入力する依頼者名入力フィールドＧ３ｃ、イタ発行手数料価格ポイント値を入力するイタ発行手数料価格ポイント入力フィールドＧ３ｄ、および、入力された情報に基づいてイタＢＤを生成するイタ生成ボタンＧ３ｅを有して構成される。
【００４１】
ジェネレータＡは、このイタ情報入力画面Ｇ３に対して、発行しようとするイタＢＤの属性情報を入力し、イタ生成ボタンＧ３ｅを押下すると、端末装置２ａからこれらの属性情報が入出力手段Ｓ２００へ送信される。
【００４２】
入出力手段Ｓ２００は、受信した属性情報のうち、イタ発行依頼者のアクセス者名とアクセス者属性情報格納領域１３５のアクセス者項目１３５ａの登録内容とのマッチングを行い、一致した場合は、記憶部１３のイタ属性情報格納領域１３１にイタＢＤの属性情報を記憶し、同時に、このイタ発行依頼者の所有価格ポイント項目１３５ｃからイタ発行手数料価格ポイント値の減算と、ジェネレータＡの所有価格ポイント項目１３５ｃにこのイタ発行手数料価格ポイント値の加算を行う（図２におけるイタ生成処理Ｓ２０１）。
【００４３】
ここで、イタ属性情報格納領域１３１は、図７に示すようなデータ構造を有しており、イタ名称を記憶するイタ名称項目１３１ａ、イタ内容説明を記憶するイタ内容説明項目１３１ｂ、および、イタ発行者のアクセス者名（本実施例の場合は、ジェネレータＡのアクセス者名）を記憶するイタ発行者名項目１３１ｃから構成される。
【００４４】
なお、上述の通り、アクセス者が発行権限を有していない場合は、このイタ情報入力画面Ｇ３は生成されず、イタ情報入力ボタンＧ２ａが押下されても端末装置２ａにポップアップ表示もされない。
【００４５】
（チャネル売り出し）
コンテンツプロバイダＰは、イタＢＤが生成されると、そのイタＢＤで売買を行うチャネルＣＨの発行をジェネレータＡに依頼し、ジェネレータＡは、ホーム画面Ｇ２よりチャネルＣＨをサーバ装置１１に生成するための生成処理を行う。このとき、コンテンツプロバイダＰは、端末装置２ｐ若しくは書面により、チャネルの名称、チャネルの内容説明、コンテンツのリンク情報、チャネルのポイント値、チャネルを登録するイタ名称からなるチャネル属性情報を、コンテンツプロバイダＰ自信のアクセス者名とともに、チャネル発行依頼時に電子メール等でジェネレータＡに提供する。
【００４６】
チャネル発行の依頼を受けたジェネレータＡは、端末装置２ａに表示されているホーム画面Ｇ２において、チャネルＣＨを発行しようとするイタ名称に表示されているチャネル売り出しボタンＧ２ｄを押下する。すると、入出力手段Ｓ２００は、図８に示すようなチャネル売出希望属性情報入力画面Ｇ４を生成して端末装置２ａに送信し、端末装置２ａの画面上にこの画面Ｇ４をポップアップ表示させる。なお、チャネルＣＨの売り出しは、アクセス者の生成したイタＢＤに対してしか行うことができないため、入出力手段Ｓ１００は、ホーム画面Ｇ２の生成において、ログインをしたアクセス者名とイタ属性情報格納領域１３１のイタ発行者名項目１３１ｃの登録内容とのマッチングを行い、一致した場合にのみ、そのイタ名称に対してチャネル売りボタンＧ２ｄを生成するように構成されている。よって、売り出しのできないイタＢＤに対しては、チャネル売りボタンＧ２ｄは表示されない。
【００４７】
チャネル売出希望属性情報入力画面Ｇ４は、選択されたイタＢＤのイタ名称を表示するイタ名称表示フィールドＧ４ａ、イタ内容説明を表示するイタ内容説明表示フィールドＧ４ｂ、売り出したいチャネルＣＨの名称を入力するチャネル名称入力フィールドＧ４ｃ、そのチャネルＣＨの内容説明を入力するチャネル内容説明入力フィールドＧ４ｄ、チャネルＣＨを販売するときの価格ポイント値を入力するためのチャネル価格ポイント入力フィールドＧ４ｅ、チャネル発行手数料価格ポイント値を入力するためのチャネル発行手数料価格ポイント入力フィールドＧ４ｆ、チャネルＣＨの売り出し者の名称を入力するチャネル売出者名称入力フィールドＧ４ｇ、このチャネルＣＨで販売する電子的コンテンツＣＯのリンク情報ＬＫを入力するコンテンツ入力フィールドＧ４ｈ、及び、入力された情報に基づいてチャネルＣＨを生成して売り出すチャネル売出ボタンＧ４ｉを有して構成される。
【００４８】
入出力手段Ｓ２００は、このチャネル売出希望属性情報入力画面Ｇ４を生成するときに、選択されたイタ名称に対するイタ内容説明をイタ属性情報格納領域１３１から取り出して、イタ名称表示フィールドＧ４ａおよびイタ内容説明表示フィールドＧ４ｂにこれらの情報を埋め込む。
【００４９】
ジェネレータＡは、このチャネル売出希望属性情報入力画面Ｇ４に、チャネル売出希望属性情報（チャネル名称、チャネル内容説明、価格ポイント、チャネル発行手数料価格ポイント、チャネル売出者名称、コンテンツのリンク情報）を入力後、チャネル売出ボタンＧ４ｉを押下する。すると、端末装置２ａから入出力手段Ｓ２００にこれらの属性情報とともに、このチャネルＣＨを登録するイタ名称、売買者名、売り買いの種別（この場合、「売り」）、および、売出操作者（この場合、「ジェネレータＡ」）が送信される。なお、コンテンツプロバイダＰは、予め販売しようとする電子的コンテンツＣＯをコンテンツ管理装置２０に登録しておくこととする。
【００５０】
なお、コンテンツ入力フィールドＧ４ｈには、複数の電子的コンテンツＣＯの各々に対応する複数のリンク情報ＬＫを入力可能に構成しても良い（すなわち、一つのチャネルＣＨで複数の電子的コンテンツＣＯが取引きされる）。
【００５１】
入出力手段Ｓ２００は、これらの属性情報を受信すると、記憶部１３のチャネル売買属性情報格納領域１３３に記憶させる。チャネル売買属性情報格納領域１３３は、図９に示すように、イタＢＤごとにイタ小領域１３６が設けられており、それぞれのイタ小領域１３６に、チャネルＣＨの売買に応じて、チャネル名称項目１３７ａ、チャネル内容説明項目１３７ｂ、チャネル価格項目１３７ｃ、売買種別項目１３７ｄ、売買者項目１３７ｅ、チャネル発行手数料項目１３７ｆ、および、売買操作者項目１３７ｇから構成されるチャネル売買属性情報１３７が生成される（図２におけるチャネル生成処理Ｓ２０２）。よって、端末装置２ａから送信されたチャネル売出希望属性情報は、イタ名称に対応するイタ小領域１３６のチャネル売買属性情報１３７のそれぞれの項目に格納されることとなる。なお、この場合、売買者項目１３７ｅにはチャネル売出者名（「コンテンツプロバイダＰ」）が記憶され、売出受託者項目１３７ｇにはこの売出操作を行っているアクセス者名（「ジェネレータＡ」）が記憶される。
【００５２】
なお、売出し時以降も、コンテンツプロバイダＰからジェネレータＡへの依頼に基づき、チャネルＣＨ内のリンク情報ＬＫを更新・追加・削除できるように構成することもできる。また、売り出すチャネル数を売出し者に指定させ、同一コンテンツＣＯのチャネルＣＨを同一価格にて複数個、一回の操作で売出しさせる構成としても良い。このとき、この複数売出時にチャネルＣＨごとに固有のＩＤ番号を振り出して記憶させる構成としても良いし、同一のＩＤ番号を記憶させる構成としても良い。また、入出力手段Ｓ２００が、リンク情報ＬＫ内に閲覧制御用の属性情報を自動的に埋め込み、後述の閲覧時に、サーバ装置１１へのログイン者のみが閲覧可能とするような制御を行うことも可能である。
【００５３】
（チャネル買い）
次に、上記のようにイタＢＤに売り出されたチャネルＣＨをチャネル一次取得者Ｂが購入する場合について説明する。なお、チャネル一次取得者Ｂは、上述の手順により、端末装置２ｂからサーバ装置１１にログインし、入出力手段Ｓ２００によりこの端末装置２ｂにホーム画面Ｇ２が表示されているものとして説明を行う。
【００５４】
チャネル一次取得者Ｂが、ホーム画面Ｇ２のイタ名称一覧表示フィールドＧ２ｃ内に表示されているイタ名称の横のチャネル買いボタンＧ２ｅを押下すると、図１０に示すようなチャネル買い画面Ｇ５がポップアップ表示される。このチャネル買い画面Ｇ５は、選択されたイタＢＤの名称が表示されるイタ名称表示フィールドＧ５ａ、このチャネルＣＨの購入希望価格ポイント値を入力する売買希望価格入力フィールドＧ５ｂ、および、これらの情報を入出力手段Ｓ２００に送信する買いボタンＧ５ｃから構成される。チャネル一次取得者Ｂは、購入希望価格ポイント値を入力後、買いボタンＧ５ｃを押下すると、端末装置２ｂから購入希望価格ポイント値、イタ名称、売買者名、および、売り買いの種別（この場合「買い」）等のチャネル売買希望属性情報が入出力手段Ｓ２００に送信される。
【００５５】
入出力手段Ｓ２００は、チャネル売買希望属性情報をチャネル売買属性情報格納領域１３３のイタ名称に対応するイタ小領域１３６にチャネル売買属性情報１３７として記憶させる。そして、入出力手段Ｓ２００は、このイタ小領域１３６に記憶されている売買情報のうち、売買種別項目１３７ｄが「売り」のチャネル価格項目１３７ｃの価格ポイント値と、端末装置２ｂから送信されたチャネル売買希望属性情報の購入希望価格ポイント値とのマッチングを行う。一致した場合、入出力手段Ｓ２００は、図１１に示す構造を有するチャネル属性情報格納領域１３２に記憶されたチャネル属性情報のチャネル名称項目１３２ａとのマッチングを行い、一致したチャネル属性情報のチャネル価格項目１３２ｃおよび所有者項目１３２ｅの属性情報更新を行い（この場合、所有者項目１３２ｅは「チャネル一次取得者Ｂ」となる）、チャネル一次取得者Ｂが保有する価格ポイント値（アクセス者属性情報格納領域１３５の所有価格ポイント項目１３５ｃ）から成約した価格ポイント値を減算し、売り手（この場合「コンテンツプロバイダＰ」）が保有する所有価格ポイント項目１３５ｃに同価格ポイント値を加算する（図２におけるチャネル売買処理Ｓ２０３）。
【００５６】
なお、このチャネル属性情報格納領域１３２は、チャネルＣＨの名称が記憶されるチャネル名称項目１３２ａ、チャネルＣＨの内容説明が記憶されるチャネル内容説明項目１３２ｂ、チャネルＣＨの価格ポイント値が記憶されるチャネル価格項目１３２ｃ、チャネルＣＨのコンテンツ（リンク情報ＬＫ）が記憶されるコンテンツ項目１３２ｄ、チャネルＣＨの所有者が記憶臆される所有者項目１３２ｅ、および、このチャネルＣＨが登録されているイタ名称が記憶される登録イタ名称項目１３２ｆから構成され、上記マッチング処理において、チャネル属性情報格納領域１３２内に当該チャネルＣＨのチャネル名を有するチャネル属性情報が存在していなかった場合、新規にチャネル属性情報を追加記憶する。
【００５７】
そして、入出力手段Ｓ２００は、イタ小領域１３６内の当該チャネルＣＨが対応するチャネル売買属性情報１３７のチャネル発行手数料項目１３７ｆに記憶されているチャネル発行手数料価格ポイント値と、売買者項目１３７ｆに記憶されている売買者名（この場合、「コンテンツプロバイダＰ」）と、売買受託者項目１３７ｇに記憶されている売買受託者名（この場合、「ジェネレータＡ」）を読み出し、アクセス者属性情報格納領域１３５内の売買者の所有価格ポイント項目１３５ｃからチャネル発行手数料価格ポイント値を減算し、売出受託者の所有価格ポイント項目１３５ｃへ加算する。
【００５８】
さらに、入出力手段Ｓ２００は、チャネル売買属性情報格納領域１３３内のイタ小領域１３６に記憶されている、取引きが成立したチャネルＣＨに関するチャネル売買属性情報１３７を削除し、同時に、成約履歴属性情報格納領域１３４へ、取引が成立したチャネル名称、価格ポイント、取引成立日時等の属性情報を記憶する。
【００５９】
なお、運用者Ｍが売買機能を定期的に、あるいは、操作にて停止させる構成とし、停止中に買い希望情報を記録しておく構成としてもよい。また、成約時点にて売り手および買い手に、成約がなされたことを電子的に通知する（例えば、電子メールを用いて通知する）構成としても良い。また、同一希望価格のチャネル注文を複数個、一回の操作で実施させる構成としても良い。
【００６０】
（チャネル売り）
次に、以上のようにして購入したチャネルＣＨをチャネル一次取得者Ｂが売る場合について説明する。チャネル一次取得者Ｂが端末装置２ｂを操作してサーバ装置１１にログインすると、入出力手段Ｓ２００は図１２に示すようなホーム画面Ｇ６を生成して端末装置２ｂに送信する。この場合、入出力手段Ｓ２００は、チャネル属性情報格納領域１３２内の所有者項目１３２ｅの内容とログインしたアクセス者名とのマッチングを行い、一致したチャネルＣＨのチャネル名称項目１３２ａの内容をホーム画面Ｇ６内の保有チャネル一覧フィールドＧ６ｆに保有チャネル一覧として表示する。なお、このホーム画面Ｇ６は、上述したジェネレータＡがログインしたときのホーム画面Ｇ２と同一の構成をしている。
【００６１】
チャネル一次取得者Ｂが、ホーム画面Ｇ６の保有チャネル一覧内のチャネル転売ボタンＧ６ｈを押下すると、図１３に示すようなチャネル売り画面Ｇ７が端末装置２ｂにポップアップ表示される。このチャネル売り画面Ｇ７は、選択したチャネルＣＨの名称を表示するチャネル名称表示フィールドＧ７ａ、このチャネルＣＨの売買希望価格ポイント値を入力する売買希望価格入力フィールドＧ７ｂ、および、このチャネルＣＨの売りを決定する売りボタンＧ７ｃを有している。チャネル一次取得者Ｂは、売買希望価格ポイント値を入力後、売りボタンＧ７ｃを押下すると、端末装置２ｂは、この売買希望価格ポイント値およびチャネル名称からなるチャネル売買希望属性情報を入出力手段Ｓ２００に送信する。
【００６２】
入出力手段Ｓ２００は、チャネル一次取得者Ｂから受信したチャネル名称と、チャネル属性情報格納領域１３２内のチャネル名称項目１３２ａの内容とのマッチングを行い、一致したチャネル属性情報レコード内の登録イタ名称項目１３２ｆからこのチャネルＣＨが登録されているイタ名称を得る。そして、入出力手段Ｓ２００は、チャネル売買属性情報格納領域１３３内の該当するイタ小領域１３６にチャネル一次取得者Ｂからのチャネル売買属性情報１３７を記憶する。この際、売買種別項目１３７ｄは「売り」となる。記憶後、入出力手段Ｓ２００は、記憶済みの売買種別項目１３７ｄの内容が「買い」のチャネル売買属性情報１３７のチャネル価格項目１３７ｃの内容と売買希望価格ポイント値とのマッチングを行う。このマッチングで一致した場合、チャネル属性情報格納領域１３２の更新を行い、チャネル一次取得者Ｂが保有する所有価格ポイント項目１３５ｃに成約した価格ポイント値を加算し、買い手が保有する所有価格ポイント項目１３５ｃから成約した価格ポイント値を減算する。さらに、入出力手段Ｓ２００は、チャネル売買属性情報格納領域１３３内のチャネル売買属性情報１３７を削除し、同時に、成約履歴属性情報格納領域１３４へ、取引きが成立したチャネル名称、価格ポイント、取引き成立日時等の属性情報を記憶する。
【００６３】
ここで、運用者Ｍが売買機能を定期的に、あるいは、操作にて停止させる構成とし、停止中の売り希望情報を記憶しておく構成としても良い。また、チャネル売り画面Ｇ７に、売買希望価格入力フィールドＧ７ｂに加えて、特定のアクセス者を譲渡先として指定する入力欄を設け、売りボタンＧ７ｃを押下すると入出力手段Ｓ２００が、チャネル属性情報格納領域１３２内の所有者項目１３２ｅを、指定されたアクセス者名に更新し、元のチャネル所有者の所有価格ポイント項目１３５ｃへチャネル価格項目１３２ｅに記憶されている価格ポイントを加算し、指定されたアクセス者の所有価格ポイント項目１３５ｃからチャネル価格項目１３２ｅに記憶されている価格ポイントを減算するように構成して、所有するチャネルＣＨを指定されたアクセス者へ譲渡可能なように構成することもできる。
【００６４】
また、チャネルＣＨの売り注文時にチャネルＣＨではなく、イタ名称・チャネル売り注文数・希望売り価格ポイントを指定させ、売り注文者が所有する同一イタＢＤに登録されているチャネルＣＨを複数個ランダムにて、一回の操作で売り注文させる構成としても良い。
【００６５】
なお、以上より、チャネル一次取得者Ｂの売りに対して、チャネル二次取得者Ｃが端末装置２ｃから買い注文を入れ売買を成立させることが可能である。また、チャネル一次取得者Ｂの売りに先立ち、チャネル二次取得者Ｃが買い注文を入れておき売買を成立させることも可能である。
【００６６】
（コンテンツ表示）
次に、チャネルＣＨを購入したチャネル一次取得者Ｂが、購入したチャネルＣＨから電子的コンテンツＣＯを表示させる（視聴する）場合について説明する。チャネル一次取得者Ｂは、保有するチャネルＣＨを表示させる場合は、表示したチャネルＣＨの横に表示されている閲覧ボタンＧ６ｄを押下する。すると、入出力手段Ｓ２００は、該当するチャネル名称とチャネル属性情報格納領域１３２内のチャネル名称項目１３２ａとマッチングを行い、一致したチャネル属性情報内のコンテンツ項目１３２ｄに格納されているリンク情報ＬＫを、図１４に示すようなボタン形式にして配置したチャネル表示画面Ｇ８を生成し、端末装置２ｂに送信する。
【００６７】
端末装置２ｂは、このチャネル表示画面Ｇ８をポップアップ形式にして表示し、チャネル一次取得者Ｂがコンテンツリンク先ボタンＧ８ａを押下すると、端末装置２ｂは当該リンク先（コンテンツ管理装置２０）の電子的コンテンツＣＯを表示する。
【００６８】
なお、チャネル属性情報格納領域１３２内の項目として「チャネル権限者名」を設け、チャネルＣＨの作成時の作成依頼者（この場合、コンテンツプロバイダＰ）をチャネルＣＨの作成時に記憶しておく構成とし、チャネルＣＨの作成依頼者からの再度のジェネレータＡへの依頼に基づき、チャネル権限者名をジェネレータＡがサーバ装置１１上で確認後、チャネルＣＨ内のリンク情報ＬＫを更新、追加、削除できる構成とし、端末装置２側に更新・追加・削除情報受信およびコンテンツ強制表示消去するソフトウェアエージェントを配置するように構成することができる。そして、ジェネレータＡの行う更新、追加、削除操作に応じて、ログイン済みで、且つ、当該チャネルＣＨを所有する所有者（例えば、チャネル一次取得者Ｂ）の端末装置（端末装置２ｂ）へ、更新等の情報を入出力手段Ｓ２００が送信し、ソフトウェアエージェントがこの更新、追加、削除されたリンク情報ＬＫが指し示す電子的コンテンツＣＯを強制表示させる、あるいは、強制消去させる構成とすることもできる。
【００６９】
また、ジェネレータＡが、チャネルＣＨの「チャネル権限者名」を更新できる構成とし、当該チャネル権限者に対し、リンク情報ＬＫを更新、追加、若しくは、削除できる権限を付与できるように構成し、更新、追加、削除の権限ごとに、オン・オフできる（許可する・許可しない）ような構成とすることも可能である。
【００７０】
以上のように、電子的コンテンツＣＯの一つ一つを販売して課金するのではなく、その電子的コンテンツＣＯを流通するための流通経路であるチャネルＣＨ単位で販売して課金することにより、課金の手続を簡単にし、電子的コンテンツＣＯの流通を促進することができる。なお、以上の説明において、サーバ装置１１とコンテンツ管理装置２０とを別の装置として説明したが、この電子的コンテンツＣＯはサーバ装置１１の記憶部１３で管理されるように構成することも可能である。
【実施例２】
【００７１】
次に、図１５を用いて、本発明に係る第２実施例について説明する。この第２実施例は、上述の第１実施例の形態と比べてサーバ装置１１にチャネル価値劣化手段Ｓ３００の機能を備えた点が異なっており、その他の構成は同一である。よって、同一の要素については同一の符号を付して再度の説明を省略する。なお、このチャネル価値劣化手段Ｓ３００は、入出力手段Ｓ２００と同様にウェブサーバＷで実行されるものとして説明する。
【００７２】
（チャネル売り出し）
コンテンツプロバイダＰが、チャネルＣＨの発行を電子メールや書面でジェネレータＡに依頼をすると、ジェネレータＡは端末装置２ａよりサーバ装置１１にログインを行い、これにより、この端末装置２ａに図１６に示すようなホーム画面Ｇ９が入出力処理Ｓ２００により生成され、端末装置２ａに送信されて表示される。なお、このホーム画面Ｇ９は、上述のホーム画面Ｇ２と同様の構成をしている。入出力手段Ｓ２００は、このホーム画面Ｇ９を生成する際に、ログインしたアクセス者名（ジェネレータＡ）とイタ属性情報格納領域１３１内のイタ発行者名項目１３１ｃの内容とのマッチングを行い、一致した場合にのみイタ名称一覧フィールドＧ９ｃ内にチャネル売出ボタンＧ９ｄを生成する。
【００７３】
ジェネレータＡが端末装置２ａを操作し、ホーム画面Ｇ９内の一つのイタ情報名称の隣のチャネル売出ボタンＧ９ｄを押下すると、入出力手段Ｓ２００は、図１７に示すようなチャネル売出希望属性情報入力画面Ｇ１０を端末装置２ａにポップアップ表示させる。
【００７４】
このチャネル売出希望属性情報入力画面Ｇ１０は、選択されたチャネルＣＨが売り出されているイタＢＤのイタ名称を表示するイタ名称表示フィールドＧ１０ａ、このイタＢＤの内容説明を表示するイタ内容説明表示フィールドＧ１０ｂ、販売しようとするチャネルＣＨの名称を入力するチャネル名称入力フィールドＧ１０ｃ、このチャネルＣＨの内容説明を入力するチャネル内容説明入力フィールドＧ１０ｄ、チャネルＣＨの価格ポイント値を入力するチャネル価格ポイント入力フィールドＧ１０ｅ、チャネル発行手数料価格ポイント値を入力するチャネル発行手数料価格ポイント入力フィールドＧ１０ｆ、チャネルＣＨの売出者名を入力するチャネル売出者名称入力フィールドＧ１０ｇ、後述する基準チャネルクオリティを入力する基準チャネルクオリティ入力フィールドＧ１０ｊ、後述するチャネル劣化関数を入力するチャネル劣化関数入力フィールドＧ１０ｋ、電子的コンテンツＣＯのリンク情報ＬＫを入力するコンテンツ入力フィールドＧ１０ｈ、および、これらの入力情報に基づいてチャネルＣＨを売り出す売出ボタンＧ１０ｉから構成される。
【００７５】
ジェネレータＡは、このチャネル売買希望属性情報入力画面Ｇ１０に対して、情報を入力し、売出ボタンＧ１０ｉを押下すると、これらの情報および、このチャネルＣＨを登録するイタ名称、売買者名（コンテンツプロバイダＰ）、売り買いの種別（売り）、売出操作者（ジェネレータＡ）からなるチャネル売出希望属性情報が入出力手段Ｓ２００に送信される。
【００７６】
入出力手段Ｓ２００は受信したチャネル売出希望属性情報を、チャネル売買属性情報格納領域１３３の該当するイタ小領域１３６に図１８に示すようなチャネル売買属性情報１３７′として記憶する。このチャネル売買属性情報１３７′は、第１実施例で説明したチャネル売買属性情報１３７に、このチャネルＣＨが売り出された時刻が記憶される売出時刻項目１３７ｈ′が追加された構造をしており、この売出時刻項目１３７ｈ′には、入出力手段Ｓ２００がチャネル売出希望属性情報を端末装置２ａから受け取った時刻が記憶される。
【００７７】
また、入出力手段Ｓ２００は、チャネル属性情報格納領域１３２のチャネル名称項目１３２ａの内容と、チャネル売出希望属性情報のチャネル名称とのマッチングを行い、一致する項目が無い場合は、チャネル属性情報格納領域１３２′に、図１９に示すようなチャネル属性情報を生成する。このチャネル属性情報領域１３２′の構造は、第１実施例で説明したチャネル属性情報領域１３２に、上述と同様の売出時刻項目１３２ｇ′、基準チャネルクオリティ項目１３２ｈ′、および、チャネル劣化関数項目１３２ｉ′が追加された構造を有している。
【００７８】
（コンテンツ表示）
次に、チャネル一次取得者Ｂが入手したチャネルＣＨを通して電子的コンテンツＣＯを表示（視聴）する手順を説明する。まず、チャネル一次取得者Ｂが端末装置２ｂを操作し、サーバ装置１１にログインする。すると、入出力手段Ｓ２００は、チャネル属性情報格納領域１３２′内の所有者項目１３２ｅ′の内容とログイン操作をしたアクセス者名（チャネル一次取得者Ｂ）とでマッチングを行い、一致したチャネル属性情報のチャネル名称項目１３２ａ′の内容を保有チャネル一覧フィールドＧ６ｆに組み込んで図１２に示すホーム画面Ｇ６を生成して端末装置２ｂに送信する。
【００７９】
チャネル一次取得者Ｂが、ホーム画面Ｇ６内の閲覧ボタンＧ６ｇを押下すると、端末装置２ｂは対応するチャネル名称を入出力手段Ｓ２００へ送信する。入出力手段Ｓ２００は、受信したチャネル名称とチャネル属性情報格納領域１３２内のチャネル名称項目１３２ａとのマッチングを行い、一致したチャネル属性情報に関するチャネル価値劣化手段Ｓ３００へ売出し時刻、基準チャネルクオリティ、および、チャネル劣化関数を渡して現在時刻のチャネルクオリティ属性情報［コンテンツ数］を問い合わせる。
【００８０】
ここで、チャネルクオリティとは、現在時刻で表示（視聴）可能なコンテンツ数を示しており、このチャネルクオリティで示された数の電子的コンテンツＣＯが表示（視聴）可能となる。このとき、基準チャネルクオリティは、基準となるコンテンツ数を示し、チャネル劣化関数は、この基準チャネルクオリティから現在時刻におけるチャネルクオリティを算出するための関数である。基本的にチャネル劣化関数により、売出し時刻から時間が経過すると、表示（視聴）可能な電子的コンテンツＣＯの数は減少する（劣化する）ように構成される。
【００８１】
チャネル価値劣化手段Ｓ３００は、受信した情報から現在時刻のチャネルクオリティ［コンテンツ数］を算出する。例えば、図１７に示した場合は、チャネル劣化関数ｆ（ｔ）は次式（１）で表されている。
【００８２】
ｆ（ｔ）  ＝  −（ｔ−Ｔ）／（Ｔe−Ｔ）＋１  （Ｔ≦ｔ≦Ｔeのとき）
ｆ（ｔ）  ＝  ０    （Ｔe＜ｔのとき）                                （１）
但し、Ｔ：チャネルＣＨの売出時刻
ｔ：現在時刻パラメータ
Ｔe：チャネルＣＨの寿命時刻
【００８３】
ここで、チャネルＣＨの寿命時刻Ｔeとは、現在時刻パラメータｔが寿命時刻Ｔeに達すると、チャネル劣化関数ｆ（ｔ）の値が０となる時刻である。これらの売出時刻Ｔ、現在時刻パラメータｔ、および、寿命時刻Ｔeは、例えば、サーバ装置１１が年月日時分秒を示す整数（基準日からの秒数）により表現される。よって、チャネル価値劣化手段Ｓ３００は、この式（１）の結果から、現在時刻ｔにおけるチャネルクオリティ［コンテンツ数］Ｑ（ｔ）を次の式（２）により算出し、この結果を入出力手段Ｓ２００に送信する。
【００８４】
Ｑ（ｔ）  ＝  Ｑ・ｆ（ｔ）                      （２）
但し、Ｑ：基準チャネルクオリティ
【００８５】
すなわち、この例の場合、基準チャネルクオリティ［コンテンツ数］は２０であるため、売り出された直後は、チャネルクオリティ属性情報値Ｑ（ｔ）は２０となり、ｔが寿命時刻Ｔeになった以降においては、チャネルクオリティは０となる。
【００８６】
入出力手段Ｓ２００は、図１４で示したチャネル表示画面Ｇ８を表示する際に、受信した現在時刻ｔのチャネルクオリティ属性情報値Ｑ（ｔ）から、チャネルのコンテンツリンク先に対してＱ（ｔ）個（小数点以下切り捨て、切り上げ、若しくは、四捨五入する）のコンテンツリンク先ボタンＧ８ａを生成して、このチャネル表示画面Ｇ８を端末装置２ｂに送信する。そして、端末装置２ｂはこのチャネル表示画面Ｇ８をポップアップ形式で表示する。
【００８７】
このように、チャネルＣＨの売出し時には複数個（この例の場合２０個）の電子的コンテンツＣＯを表示（視聴）することができるが、時間経過とともに表示（視聴）可能なコンテンツ数が減少し寿命時刻Ｔeには０となる。そのため、チャネルＣＨの価値、すなわち、表示（視聴）可能な電子的コンテンツＣＯの数が時間とともに劣化するため、チャネルＣＨ（電子的コンテンツＣＯ）の所有者が、他者へ転売しようとする動機付けができ、チャネルＣＨの取引量が促進される。
【００８８】
なお、チャネルクオリティの変数として時間ｔに加えて、チャネル売買成約回数を用いることや、このチャネル売買成約回数のみでチャネルクオリティを算出するように構成することも可能である。
【００８９】
また、チャネル寿命時刻Ｔeを無限大に設定可能なように構成しても良いし、チャネル所有者からチャネル劣化関数ｆ（ｔ）の変更依頼をジェネレータＡが受け、ジェネレータＡがｆ（ｔ）を変更する構成としても良い。また、チャネル表示画面Ｇ８内のコンテンツ数を減少させるというこの第２実施例以外に、電子的コンテンツＣＯが動画の場合に、この動画画像の画質レートを下げる方法や、電子的コンテンツＣＯが音声の場合に音声の音質を下げるといった構成とすることも可能である。
【実施例３】
【００９０】
次に、図２０を用いて、本発明に係る第３実施例について説明する。この第３実施例は、上述の第１実施例の形態と比べてサーバ装置１１に価格ポイント金利発生手段Ｓ４００の機能を備えた点が異なっており、その他の構成は同一である。よって、同一の要素については同一の符号を付して再度の説明を省略する。なお、この価格ポイント金利発生手段Ｓ４００は、サーバ装置１１で実行されるプログラムとして説明する。なお、価格ポイント金利発生手段Ｓ４００は、金利設定手段Ｓ４０１と金利発生手段Ｓ４０２とから構成されている。
【００９１】
運用者Ｍが入出力部１４から金利設定手段Ｓ４０１を起動すると、金利属性情報格納領域１３９内の金利属性情報、および、成約履歴属性情報格納領域１３４内の成約履歴属性情報を一定期間毎に（例えば、１ヶ月毎に）集約した取引高合計および取引金額平均から、図２１に示す金利入力画面Ｇ１１を入出力部１４に表示する。この金利入力画面Ｇ１１は、現在の金利を表示する現在金利表示フィールドＧ１１ａ、取引高合計を表示する市場取引高合計表示フィールドＧ１１ｂ、取引金額平均値を表示する市場取引金額平均表示フィールドＧ１１ｃ、変更する金利を入力する金利入力フィールドＧ１１ｄ、および、入力した金利を確定させる確定ボタンＧ１１ｅから構成される。
【００９２】
運用者Ｍは、各利用者が所有する価格ポイント値（所有価格ポイント項目１３５ｃの値）の金利を、取引高合計および取引金額平均から検討し、金利入力画面Ｇ１１に入力して確定ボタンＧ１１ｅを押下する。すると、金利設定手段Ｓ４０１は、この金利属性情報（金利）を受け、金利属性情報格納領域１３９の金利属性情報を更新する。
【００９３】
一方、金利発生手段Ｓ４０２は、一定のタイムインターバル毎（例えば、１ヶ月毎）に、スケジュール起動される構成とする。そして、スケジュール起動時には、この金利発生手段Ｓ４０２は、各利用者が所有する価格ポイント値、すなわち、各アクセス者の所有価格ポイント項目１３５ｃを金利属性情報に基づき更新する。すなわち、設定された金利に応じて、所有価格ポイント項目１３５ｃの内容を増減する。
【００９４】
そのため、金利属性情報として、金利を正の値以外に、負の値を許す構成とすることもできる。また、利用者の年齢等の属性情報をアクセス者属性情報格納領域に記憶しておき、年齢に応じて金利を変える構成とすることもできる。
【００９５】
このように、金利を設定して、所有価格ポイント項目１３５ｃの内容を定期的にこの金利に応じて増減するように構成することにより、このコンテンツ流通管理システム１で売買される電子的コンテンツＣＯの数を金利により調整することができる。また、利用者に対して、電子的コンテンツＣＯの購入の促進と抑制をすることができる。
【００９６】
なお、以上の第１〜第３実施例で説明した、アクセス者登録手段Ｓ１００、入出力手段Ｓ２００、チャネル価値劣化手段Ｓ３００、および、価格ポイント金利発生手段Ｓ４００の全てを備えたサーバ装置１１を有して本発明に係るコンテンツ流通管理システム１を構成しても良い。また、本実施例においては、電子的コンテンツＣＯをチャネルＣＨの単位で売買する方法について説明したが、電子的コンテンツＣＯを直接イタＢＤで売買するような構成としても良い。この場合、電子的コンテンツＣＯは、サーバ装置１１の記憶部１３に記憶される。
【図面の簡単な説明】
【００９７】
【図１】本発明に係るコンテンツ流通管理システムの第１実施例に係るシステム構成を示すブロック図である。
【図２】本発明において取引きされるチャネルおよびこのチャネルを取引きするイタの構成を示すブロック図である。
【図３】アクセス者属性情報格納領域の構造を示すデータ構造図である。
【図４】ログイン画面を示す画面構成図である。
【図５】ジェネレータがログインしたときのホーム画面を示す画面構成図である。
【図６】イタ情報入力画面を示す画面構成図である。
【図７】イタ属性情報格納領域の構造を示すデータ構造図である。
【図８】チャネル売出希望属性情報入力画面を示す画面構成図である。
【図９】チャネル売買属性情報格納領域の構造を示すデータ構造図である。
【図１０】チャネル買い画面を示す画面構成図である。
【図１１】チャネル属性情報格納領域の構造を示すデータ構造図である。
【図１２】チャネル一次取得者がログインしたときのホーム画面を示す画面構成図である。
【図１３】チャネル売り画面を示す画面構成図である。
【図１４】チャネル表示画面を示す画面構成図である。
【図１５】本発明に係るコンテンツ流通管理システムの第２実施例に係るシステム構成を示すブロック図である。
【図１６】第２実施例におけるホーム画面を示す画面構成図である。
【図１７】第２実施例におけるチャネル売出希望属性情報入力画面を示す画面構成図である。
【図１８】第２実施例におけるチャネル売買属性情報の構造を示すデータ構造図である。
【図１９】第２実施例におけるチャネル属性情報格納領域の構造を示すデータ構造図である。
【図２０】本発明に係るコンテンツ流通管理システムの第３実施例に係るシステム構成を示すブロック図である。
【図２１】金利入力画面を示す画面構成図である。
【符号の説明】
【００９８】
１  コンテンツ流通管理システム
１１  サーバ装置
２０  コンテンツ管理装置
１３５ｃ  所有価格ポイント項目（ポイント管理手段）
Ｓ２００  入出力手段
Ｓ２０１  イタ生成手段（取引き場生成手段）
Ｓ２０２  チャネル生成手段
Ｓ２０３  チャネル売買手段
Ｓ３００  チャネル価値劣化手段
Ｓ４００  価格ポイント金利発生手段
Ｓ４０１  金利設定手段
Ｓ４０２  金利発生手段
ＣＯ  コンテンツ
ＢＤ  イタ（取引き場）
ＣＨ  チャネル
ＬＫ  リンク情報
Ｐ  コンテンツプロバイダ（提供者）
Ｂ  チャネル一次取得者（購入者）
【図１】
2006139434.tif 000003
【図２】
2006139434.tif 000004
【図３】
2006139434.tif 000005
【図４】
2006139434.tif 000006
【図５】
2006139434.tif 000007
【図６】
2006139434.tif 000008
【図７】
2006139434.tif 000009
【図８】
2006139434.tif 000010
【図９】
2006139434.tif 000011
【図１０】
2006139434.tif 000012
【図１１】
2006139434.tif 000013
【図１２】
2006139434.tif 000014
【図１３】
2006139434.tif 000015
【図１４】
2006139434.tif 000016
【図１５】
2006139434.tif 000017
【図１６】
2006139434.tif 000018
【図１７】
2006139434.tif 000019
【図１８】
2006139434.tif 000020
【図１９】
2006139434.tif 000021
【図２０】
2006139434.tif 000022
【図２１】
2006139434.tif 000023